(57)【要約】【課題】  本発明は、記録ディスクメディアの枚数を増やしたとしても、その回転動作を安定させることができる記録ディスクカートリッジを提供することを目的とする。【解決手段】  磁気ディスクカートリッジ１は、フレキシブルな複数の磁気ディスクメディア４１と、これらの磁気ディスクメディア４１を一体に回転させるために磁気ディスクメディア４１を保持する回転体（センタコア４２、スペーサ４３，４３´および連結軸４４）と、この回転体を回転可能に収容するとともに、前記回転体の一端を外部に露出させるための開口部１６を有したカートリッジケースとを備えている。そして、前記回転体は、前記カートリッジケースに設けたベアリングＢ１，Ｂ２によって回転自在に支持されている。【選択図】      図１
2006092584.tif 000002
【特許請求の範囲】
【請求項１】
フレキシブルな複数の記録ディスクメディアと、
これらの記録ディスクメディアを一体に回転させるために記録ディスクメディアを保持する回転体と、
前記記録ディスクメディアおよび前記回転体を回転可能に収容するとともに、前記回転体の一端を外部に露出させるための開口部を有したカートリッジケースとを備える記録ディスクカートリッジであって、
前記回転体を前記カートリッジケースに設けたベアリングで回転自在に支持したことを特徴とする記録ディスクカートリッジ。
【請求項２】
請求項１に記載の記録ディスクカートリッジであって、
前記ベアリングを、少なくとも前記回転体の一端側に設けたことを特徴とする記録ディスクカートリッジ。
【請求項３】
請求項２に記載の記録ディスクカートリッジであって、
前記回転体の一端側に設けたベアリングに、前記カートリッジケース内への塵埃の侵入を防止するシール部材を設けたことを特徴とする記録ディスクカートリッジ。
【請求項４】
請求項１〜請求項３のうちのいずれか１項に記載の記録ディスクカートリッジであって、
前記回転体は、
前記記録ディスクメディアごとに設けられるセンタコアを、互いに相対回転不能となる状態で積層することで構成されていることを特徴とする記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。この技術では、複数枚の磁気ディスクメディアをその中心孔側から一体に支持するセンタコアの一端を、磁気ディスクドライブのスピンドルで磁気的に吸着することで各磁気ディスクメディアを同時に回転させる構造であるため、このように同時に回転する複数枚の磁気ディスクメディアに複数の磁気ヘッドをそれぞれ別々にアクセスさせることによって、データの転送速度の向上なども図ることが可能となっている。
【特許文献１】特開２００４−２２０１１号公報
【発明の開示】
【発明が解決しようとする課題】
【０００４】
しかしながら、前記した特許文献１の磁気ディスクカートリッジでは、センタコアの一端を磁気ディスクドライブのスピンドルに磁気的に吸着させるだけの構造であるため、磁気ディスクメディアの枚数を増やすことによりその軸方向における長さが大きくなると、その回転動作が不安定になるといった問題があった。
【０００５】
そこで、本発明は、記録ディスクメディアの枚数を増やしたとしても、その回転動作を安定させることができる記録ディスクカートリッジを提供することを目的とする。
【課題を解決するための手段】
【０００６】
前記した課題を解決するため、本発明の記録ディスクカートリッジは、フレキシブルな複数の記録ディスクメディアと、これらの記録ディスクメディアを一体に回転させるために記録ディスクメディアを保持する回転体と、前記記録ディスクメディアおよび前記回転体を回転可能に収容するとともに、前記回転体の一端を外部に露出させるための開口部を有したカートリッジケースとを備える記録ディスクカートリッジであって、前記回転体を前記カートリッジケースに設けたベアリングで回転自在に支持したことを特徴とする。
【０００７】
このような構造によれば、複数の記録ディスクメディアを一体に回転させる際において、これらの記録ディスクメディアを保持する回転体がドライブのスピンドルによって支持されるとともに、記録ディスクカートリッジ内のベアリングによっても回転自在に支持されているので、記録ディスクメディアの枚数を増やしたとしても、その回転動作を安定させることができる。
【０００８】
また、前記した記録ディスクカートリッジとしては、前記ベアリングを、少なくとも前記回転体の一端側に設けたことを特徴とするものであってもよい。
【０００９】
このような構造によれば、ベアリングが回転体の一端側、すなわちカートリッジケースの開口部側に設けられるので、この開口部から侵入してくる塵埃をベアリングによって抑制することができる。
【００１０】
また、前記した記録ディスクカートリッジとしては、前記回転体の一端側に設けたベアリングに、前記カートリッジケース内への塵埃の侵入を防止するシール部材を設けたことを特徴とするものであってもよい。
【００１１】
このような構造によれば、例えばベアリング内部を通ってカートリッジケース内に侵入してくる塵埃を、シール部材によって塞き止めることができる。
【００１２】
また、前記した記録ディスクカートリッジとしては、前記回転体が、前記記録ディスクメディアごとに設けられるセンタコアを、互いに相対回転不能となる状態で積層することで構成されていることを特徴とするものであってもよい。
【００１３】
このような構造によれば、記録ディスクメディアごとに設けられるセンタコアを単に積層していく構造であるため、記録ディスクメディアとセンタコアのセットを増減するだけで、容易に記録ディスクメディアの枚数を変更することができる。
【発明の効果】
【００１４】
本発明によれば、複数の記録ディスクメディアを一体に回転させる際において、これらの記録ディスクメディアを保持する回転体がドライブのスピンドルによって支持されるとともに、記録ディスクカートリッジ内のベアリングによっても回転自在に支持されているので、記録ディスクメディアの枚数を増やしたとしても、その回転動作を安定させることができる。
【発明を実施するための最良の形態】
【００１５】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１６】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア（回転体）４２が貼り付けられている。そして、センタコア４２同士がスペーサ（回転体）４３，４３´により係合して５枚の磁気ディスクメディア４１（この積層・一体化された磁気ディスクメディア４１をディスクスタック４０とする）を一体に回転するようになっている。
【００１７】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００１８】
この開口部３は、ディスクスタック４０と同軸に回動するシャッタ４により開閉される。シャッタ４は、図１に示すように下ロータ５１と上ロータ５２とを組み合わせることにより構成されている。
【００１９】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００２０】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に侵入することを容易にしている。
主プレート１１の側壁１３に連なる他の一辺１１ｂ（図１における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印Ａｒで示す方向へ侵入して開口１５へ入り込む通路となっている。
【００２１】
前記したリブ１２は、下プレート１０の主プレート１１の外周縁のうち、側壁１３、開口１４，１５を除く全周にわたり、上方へ突出するように形成されている。
下プレート１０の主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。そして、このリブ１７は、その外周面で下ロータ５１を回動自在に支持するとともに、その内周面で後記する下側ベアリングＢ２を支持している。
また、下プレート１０の主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、下プレート１０の主プレート１１の四つの角部には上下に貫通して、雌ネジが形成されたネジ孔１９が形成されている。
【００２２】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００２３】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、上プレート３０の主プレート３１の中央には、開口は形成されず、側壁１３に対応する側壁も形成されていない。
そして、上プレート３０の主プレート３１の外周縁には、下方に突出するリブ３２が、凹部３４を除く全周にわたって形成されている。さらに、リブ３７の内側には、後記する上側ベアリングＢ１を固着するための取付用リブ３０ａが円筒状に形成されている。
また、上プレート３０の主プレート３１の四つの角部には、ネジ９１のネジ軸部９１ａが貫通する孔３９が形成されている。
【００２４】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００２５】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００２６】
図５に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００２７】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周で一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００２８】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００２９】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００３０】
次に、磁気ディスクメディア４１およびその積層構造について説明する。
磁気ディスクメディア４１は、例えばポリエステルなどの樹脂シートに磁性塗料を両面に塗布したものである。
【００３１】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３２】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００３３】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００３４】
なお、最上層のセンタコア４２は、上側に回転係止すべきセンタコアが無いため、その上には下側にのみピン４３ｂを突出させた、厚みの薄いトップスペーサ４３´が配置される。
【００３５】
以上のように積層された磁気ディスクメディア４１、つまりディスクスタック４０は、連結軸（回転体）４４、圧縮コイルばね（弾性部材）４６、上側ベアリングＢ１および下側ベアリングＢ２により、安定した回転支持がなされている。
図５に示すように、連結軸４４は、積層されたセンタコア４２の相互間の中心の振れを少なくするとともに、圧縮コイルばね４６を保持するためのものであり、軸部４４ａおよびばね保持部４４ｃからなる。軸部４４ａは、センタコア４２のセンタホール４２ｄに挿通可能な円柱形状からなり、センタコア４２のセンタホール４２ｄ（詳しくは、図６に示すセンタホール４２ｄの回りに上方へ突出するように形成されたフランジ部）に、センタコア４２の中心軸方向において摺動自在に係合している。また、軸部４４ａは、その上端部が上側ベアリングＢ１によって回転自在に支持されている。ばね保持部４４ｃは、有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が侵入できるように開いている。
【００３６】
上側ベアリングＢ１は、リング状に形成されるインナレースＢ１１と、このインナレースＢ１１よりも大径のリング状に形成されるアウタレースＢ１２と、インナレースＢ１１の内周面やアウタレースＢ１２の外周面に適宜形成された凹部に収容されるベアリングボールＢ１３とによって主に構成されている。そして、この上側ベアリングＢ１は、そのアウタレースＢ１２の外周面が前記した上プレート３０の取付用リブ３０ａの内周面に固着され、かつ、インナレースＢ１１の内周面が連結軸４４の軸部４４ａの上端部に固着されることによって、上プレート３０に対して連結軸４４が回転自在となるように連結軸４４を支持している。なお、インナレースＢ１１と連結軸４４との固着方法は、接着剤による接着や圧入など、どのような方法を利用してもよい。
【００３７】
下側ベアリングＢ２は、上側ベアリングＢ１よりも大径となるベアリングであって、上側ベアリングＢ１の中心軸と同軸となるように配設されるインナレースＢ２１、アウタレースＢ２２およびベアリングボールＢ２３を主に備えている。ここで、これらのインナレースＢ２１、アウタレースＢ２２およびベアリングボールＢ２３は、上側ベアリングＢ１と略同様の構造となっている。そして、下側ベアリングＢ２は、そのアウタレースＢ２２の外周面が前記した下プレート１０のリブ１７の内周面に固着され、かつ、インナレースＢ２１の内周面が最下層に位置するセンタコア４２の側壁４２ｂに固着されることによって、下プレート１０に対してセンタコア４２が回転自在となるようにセンタコア４２を支持している。
【００３８】
圧縮コイルばね４６は、一端（上端）が連結軸４４のばね保持部４４ｃに保持され、他端（下端）が最上層のセンタコア４２の上面に当接することで、積層されたセンタコア４２を下側ベアリングＢ２へ付勢するとともに、連結軸４４を上側ベアリングＢ１へ付勢している。これにより、積層されたセンタコア４２は、カートリッジケース２の中でがたつくことが防止されるとともに、圧縮コイルばね４６の上端と連結軸４４との間や、圧縮コイルばね４６の下端と最上層のセンタコア４２との間に所定の摩擦力（係合力）が発生することによって連結軸４４とセンタコア４２の積層体とが相対回転不能な状態で連結されることとなる。さらに、このように連結軸４４とセンタコア４２との間に圧縮コイルばね４６を設けることによって、例えばスペーサ４３の高さ方向における寸法誤差によって最上層のセンタコア４２の上下方向における位置が変化したとしても、その変位を吸収することができる。また、この他にも、各センタコア４２の底板４２ａの厚みの寸法誤差や、連結軸４４の上端部（上側ベアリングＢ１に固着される部分）からばね保持部４４ｃの底面までの長さの寸法誤差が吸収されることとなる。なお、本実施形態では、圧縮コイルばね４６を設ける構造としたが、本発明はこれに限定されず、後記する構造（図７参照）のように圧縮コイルばね４６を省略することもできる。
【００３９】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。なお、この際、図４、図５に示すように、ベアリングＢ１，Ｂ２によって支持されている各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００４０】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
【００４１】
そして、図５に示すように、スピンドル６５が最下層に位置するセンタコア４２へ向かって、このセンタコア４２を磁気的に吸着する。このように最下層のセンタコア４２を吸着したスピンドル６５を回転させると、ベアリングＢ１，Ｂ２の中心軸を中心にして、ディスクスタック４０が安定して回転することとなる。その後、アクチュエータ６１により駆動されることでスイングアーム６２が回動して、磁気ヘッド６３が磁気ディスクメディア４１の上に移動される。
【００４２】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００４３】
以上によれば、本実施形態において、次のような効果を得ることができる。
最上層のセンタコア４２に圧縮コイルばね４６の付勢力によって連結される連結軸４４と、最下層のセンタコア４２とが磁気ディスクカートリッジ１内のベアリングＢ１，Ｂ２によって回転自在に支持されているので、磁気ディスクメディア４１の枚数を本実施形態のように５枚に増やしたとしても、その回転動作を安定させることができる。
【００４４】
下プレート１０の開口部１６の周縁に形成されるリブ１７と、最下層のセンタコア４２とに跨るように下側ベアリングＢ２を設けたので、この下側ベアリングＢ２によって開口部１６から侵入してくる塵埃を抑制することができる。
【００４５】
連結軸４４と最上層のセンタコア４２との間に圧縮コイルばね４６を設けることで、スペーサ４３の高さ方向における寸法誤差などを吸収することができるので、その設計や組立作業を容易に行うことができる。
【００４６】
磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００４７】
以上、本発明の実施形態について説明したが、本発明は前記した実施形態に限定されることなく適宜変形して実施することが可能である。例えば、前記実施形態においては、記録ディスクメディアとして磁気ディスクメディア４１を適用したが、光によりデータを記録する光ディスクメディアの場合にも同様に適用することができる。
また、前記実施形態においては、下プレート１０、インナプレート２０、上プレート３０をネジ９１により締結固定したが、接着、溶着により一体に固定することも可能である。
【００４８】
前記実施形態では、下側ベアリングＢ２を、インナレースＢ２１、アウタレースＢ２２、ベアリングボールＢ２３で構成したが、本発明はこれに限定されず、例えばインナレースＢ２１とアウタレースＢ２２との隙間を塞ぐためのシール部材を設けてもよい。これによれば、カートリッジケース２の下側の開口部１６から内部への塵埃の侵入を防止することができる。なお、シール部材は、リング状に形成して、ベアリングボールＢ２３を挟むように（ベアリングボールＢ２３の両側に）配設するのが望ましいが、少なくともベアリングボールＢ２３の片側に配設されていればよい。
【００４９】
前記実施形態では、圧縮コイルばね４６を設けることによって、センタコア４２の積層体と連結軸４４とを圧縮コイルばね４６の付勢力に基づく摩擦力で相対回転不能に連結させる構造としたが、本発明はこれに限定されるものではない。例えば、図７に示すように、センタコア４２と連結軸４４を一体に接合させることで、センタコア４２の積層体と連結軸４４とを相対回転不能に連結させてもよい。このような構造によれば、前記実施形態（図５参照）で設けていた圧縮コイルばね４６や圧縮コイルばね４６を保持するためのばね保持部４４ｃが不要となるので、その分部品点数の削減によるコストの低減や連結軸４４の形状の単純化を図ることができる。
【００５０】
また、この図７に示す構造のように、下プレート１０側に設ける下側ベアリングとして前記実施形態（図５参照）よりも厚さの小さな下側ベアリングＢ４を採用し、この下側ベアリングＢ４を下プレート１０の開口部１６のケース内側に形成した段部１０ａに設けるようにしてもよい。これによれば、インナレースＢ４１とアウタレースＢ４２との隙間が狭い通路を介して外部に開口することとなるので、塵埃がケース内に侵入し難くなり、ケース内の防塵性が向上することとなる。
【００５１】
前記実施形態（図５参照）では、上側ベアリングＢ１のインナレースＢ１１と連結軸４４とを固着するようにしたが、本発明はこれに限定されず、図８に示すように、上側ベアリングＢ１のアウタレースＢ１２と連結軸４４とを固着するようにしてもよい。なお、この場合は、上プレート３０の取付用リブ３０ａを上側ベアリングＢ１のインナレースＢ１１の内径と略同じ大きさに形成し、かつ、連結軸４４の上端部をアウタレースＢ１２の外径まで広げるように形成する必要がある。
【００５２】
また、この図８に示した形態や前記実施形態（図５参照）では、インナレースやこれより大径となるアウタレースなどを有するベアリングを採用しているが、本発明はこれに限定されず、例えば図９に示すように、同じ径となるリング状のプレートＢ５１，Ｂ５２を同軸となるように合わせ、これらの間にベアリングボールＢ５３を設けたような対面型のベアリングＢ５を採用してもよい。
【００５３】
また、前記した各実施形態（図５，図７等参照）では、連結軸４４を設ける構造としたが、本発明はこれに限定されず、図１０に示すように、連結軸４４を設けない構造としてもよい。具体的に、この構造においては、係止部材５３の筒部５３ａの反対側に、取付用リブ５３ｃを形成し、この取付用リブ５３ｃとトップスペーサ４３´との間にベアリングＢ６を設けることによって、ディスクスタック４０が二つのベアリングＢ２，Ｂ６によって回転自在に支持されるようになっている。
【図面の簡単な説明】
【００５４】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ａ）におけるIV−IV断面図である。
【図５】図４の部分拡大図である。
【図６】磁気ディスクメディアの積層構造を示す分解斜視図である。
【図７】本発明の他の実施形態を示す図であり、各センタコアと連結軸を一体に接合させた形態を示す拡大断面図である。
【図８】上側ベアリングのアウタレースによって連結軸を回転自在に支持した形態を示す拡大断面図である。
【図９】図８に示す構造におけるベアリングを別のベアリングに置き換えた形態を示す拡大断面図である。
【図１０】連結軸を設けることなくディスクスタックをベアリングによって回転自在に支持した形態を示す拡大断面図である。
【符号の説明】
【００５５】
１      磁気ディスクカートリッジ
２      カートリッジケース
１０    下プレート
１６    開口部
３０    上プレート
３０ａ  取付用リブ
４０    ディスクスタック
４１    磁気ディスクメディア
４２    センタコア
４３    スペーサ
４３´  トップスペーサ
４４    連結軸
４４ａ  軸部
４４ｃ  ばね保持部
Ｂ１    上側ベアリング
Ｂ２    下側ベアリング
【図１】
2006092584.tif 000003
【図２】
2006092584.tif 000004
【図３】
2006092584.tif 000005
【図４】
2006092584.tif 000006
【図５】
2006092584.tif 000007
【図６】
2006092584.tif 000008
【図７】
2006092584.tif 000009
【図８】
2006092584.tif 000010
【図９】
2006092584.tif 000011
【図１０】
2006092584.tif 000012